【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
プロセス制御システム中の１つ以上のインターロックチェーンの可視化方法であって、前記プロセス制御システム内の複数のフィールドコンポーネントが、１つ以上のプロセス制御モジュールに従い、複数のそれぞれの機能を実装し、前記方法が、
１つ以上のコンピューティングデバイスにより、前記複数のフィールドコンポーネントのうちの少なくとも第１のフィールドコンポーネントの停止を引き起こすインターロックイベントを検出することと、
前記１つ以上のコンピューティングデバイスにより、前記複数のフィールドコンポーネントと関連した事前構成されたインターロックロジックデータであって、前記複数のフィールドコンポーネントの各々にインターロックをトリガする条件を指定する、事前構成されたインターロックロジックデータを得ることと、
前記事前構成されたインターロックロジックデータを分析する前記１つ以上のコンピューティングデバイスにより、少なくとも第１のインターロックチェーン可視化を自動で生成することであって、前記第１のインターロックチェーン可視化は、前記複数のフィールドコンポーネントのうちの少なくとも第１のサブセット中でのインターロック依存を図で示し、前記第１のサブセットが、（ｉ）前記第１のフィールドコンポーネント及び（ｉｉ）前記複数のフィールドコンポーネントのうちの少なくとも１つの他のフィールドコンポーネントを含む、自動で生成することと、
前記１つ以上のコンピューティングデバイスにより、少なくとも前記第１のインターロックチェーン可視化を、ユーザインターフェースを介してユーザに提示させることと、を含む、方法。
【請求項２】
前記事前構成されたインターロックロジックデータは、オブジェクト指向プログラミングプロトコルに準拠する複数のインターロック構成オブジェクトを定義するデータを含み、
前記複数のインターロック構成オブジェクトの各々が、前記複数のフィールドコンポーネント中のフィールドコンポーネントのそれぞれの対の間のインターロック関係を表し、
少なくとも前記第１のインターロックチェーン可視化を自動で生成することは、少なくとも部分的に前記複数のインターロック構成オブジェクトに基づいて、前記第１のインターロックチェーン可視化を自動で生成することを含む、請求項１に記載の方法。
【請求項３】
前記１つ以上のコンピューティングデバイスにより、前記第１のフィールドコンポーネントと関連した情報を、前記ユーザインターフェースを介して前記ユーザに提示させることを更に含み、前記第１のフィールドコンポーネントと関連した前記情報が、（ｉ）前記第１のフィールドコンポーネントの状態、及び（ｉｉ）前記第１のフィールドコンポーネントにより得られた測定値のうちの１つまたは両方を含む、請求項１又は２に記載の方法。
【請求項４】
少なくとも第１のインターロックチェーン可視化を自動で生成することは、
前記第１のフィールドコンポーネントのグラフィック表示と前記インターロックイベントをトリガした別のフィールドコンポーネントのグラフィック表示との間にのみ延びる第１のインターロックチェーン可視化を自動で生成することを含む、請求項１から３のいずれか一項に記載の方法。
【請求項５】
少なくとも第１のインターロックチェーン可視化を自動で生成することは、
前記第１のインターロックチェーンのルートフィールドコンポーネントのグラフィック表示と前記第１のフィールドコンポーネントのグラフィック表示との間に少なくとも延びる第１のインターロックチェーン可視化を自動で生成することを含む、請求項１から３のいずれか一項に記載の方法。
【請求項６】
前記１つ以上のコンピューティングデバイスにより、（ｉ）前記第１のインターロックチェーンと第２のインターロックチェーンとの間で共有されたフィールドコンポーネントのグラフィック表示と、（ｉｉ）前記第１のフィールドコンポーネントの前記グラフィック表示との間に少なくとも延びる第１のインターロックチェーン可視化を自動で生成することと、
前記１つ以上のコンピューティングデバイスにより、（ｉ）前記共有されたフィールドコンポーネントの前記グラフィック表示または前記共有されたフィールドコンポーネントの別のグラフィック表示のいずれかと、（ｉｉ）前記複数のフィールドコンポーネントのうちの第２のフィールドコンポーネントのグラフィック表示との間に少なくとも延びる第２のインターロックチェーン可視化を自動で生成することと、
前記１つ以上のコンピューティングデバイスにより、少なくとも前記第１のインターロックチェーン可視化及び前記第２のインターロックチェーン可視化を、前記ユーザインターフェースを介して前記ユーザに提示させることと、を含み、
前記第２のフィールドコンポーネントの前記グラフィック表示は、前記第１のインターロックチェーン可視化に含まれず、前記第１のフィールドコンポーネントの前記グラフィック表示は、前記第２のインターロックチェーン可視化に含まれない、請求項１から３のいずれか一項に記載の方法。
【請求項７】
少なくとも前記第１のインターロックチェーン可視化及び前記第２のインターロックチェーン可視化を、前記ユーザインターフェースを介して前記ユーザに提示させることは、
前記第１のインターロックチェーン可視化を、前記ユーザインターフェースを介して前記ユーザに提示させることと、
前記ユーザが前記第２のインターロックチェーン可視化を選択することに対応して、前記第２のインターロックチェーン可視化を、前記ユーザインターフェースを介して前記ユーザに提示させ、前記第１のインターロックチェーン可視化が、前記ユーザインターフェース上から隠れるようにすることと、を含む、請求項６に記載の方法。
【請求項８】
前記１つ以上のコンピューティングデバイスにより、前記第１のインターロックチェーン可視化と同時に、シングルリセット制御を、前記ユーザインターフェースを介して前記ユーザに提示させることと、
前記１つ以上のコンピューティングデバイスにより、前記シングルリセット制御のユー
ザ起動を検出することと、
前記シングルリセット制御の前記ユーザ起動を検出することに対応して、前記１つ以上のコンピューティングデバイスにより、前記複数のフィールドコンポーネントのうちの少なくとも前記第１のサブセットのリセットを引き起こすことと、を更に含む、請求項１から７のいずれか一項に記載の方法。
【請求項９】
前記１つ以上のコンピューティングデバイスにより、前記複数のフィールドコンポーネントのうちの少なくとも第２のフィールドコンポーネントの停止を引き起こす次のインターロックイベントを検出することと、
前記１つ以上のコンピューティングデバイスにより、前記複数のフィールドコンポーネントと関連した更新されたインターロックロジックデータであって、前記複数のフィールドコンポーネントのうちの少なくともいくつかの各々にインターロックをトリガする新しい条件を指定する、更新されたインターロックロジックデータを得ることと、
前記更新されたインターロックロジックデータを分析する前記１つ以上のコンピューティングデバイスにより、少なくとも第２のインターロックチェーン可視化を自動で生成することであって、前記第２のインターロックチェーン可視化は、前記複数のフィールドコンポーネントのうちの少なくとも第２のサブセット中でのインターロック依存を図で示し、前記第２のサブセットは、（ｉ）前記第２のフィールドコンポーネント及び（ｉｉ）前記複数のフィールドコンポーネントのうちの少なくとも１つの他のフィールドコンポーネントを含む、自動で生成することと、
前記１つ以上のコンピューティングデバイスにより、少なくとも前記第２のインターロックチェーン可視化を、前記ユーザインターフェースを介して提示させることと、を更に含む、請求項１から８のいずれか一項に記載の方法。
【請求項１０】
プロセス制御システム中の１つ以上のインターロックチェーンを可視化するシステムであって、前記プロセス制御システム内の複数のフィールドコンポーネントが、１つ以上のプロセス制御モジュールに従い、複数のそれぞれの機能を実装し、前記システムが、
構成データベースと、
１つ以上のコンピューティングデバイスと、
命令を記憶する１つ以上のメモリと、を含み、前記命令が、前記１つ以上のコンピューティングデバイスの１つ以上のプロセッサにより実行される場合、前記１つ以上のコンピューティングデバイスに、
前記複数のフィールドコンポーネントのうちの少なくとも第１のフィールドコンポーネントの停止を引き起こすインターロックイベントを検出することと、
前記構成データベースから、前記複数のフィールドコンポーネントと関連した事前構成されたインターロックロジックデータであって、前記複数のフィールドコンポーネントの各々にインターロックをトリガする条件を指定する、事前構成されたインターロックロジックデータを得ることと、
前記事前構成されたインターロックロジックデータを分析することにより、少なくとも第１のインターロックチェーン可視化を自動で生成することであって、前記第１のインターロックチェーン可視化は、前記複数のフィールドコンポーネントのうちの少なくとも第１のサブセット中でのインターロック依存を図で示し、前記第１のサブセットが、（ｉ）前記第１のフィールドコンポーネント及び（ｉｉ）前記複数のフィールドコンポーネントのうちの少なくとも１つの他のフィールドコンポーネントを含む、自動で生成することと、
少なくとも前記第１のインターロックチェーン可視化を、ユーザインターフェースを介してユーザに提示させることと、を行わせる、システム。
【請求項１１】
前記事前構成されたインターロックロジックデータは、オブジェクト指向プログラミングプロトコルに準拠する複数のインターロック構成オブジェクトを定義するデータを含み
、
前記複数のインターロック構成オブジェクトの各々が、前記複数のフィールドコンポーネント中のフィールドコンポーネントのそれぞれの対の間のインターロック関係を表し、
前記命令は、少なくとも部分的に前記複数のインターロック構成オブジェクトに基づいて、前記１つ以上のコンピューティングデバイスに、少なくとも前記第１のインターロックチェーン可視化を自動で生成させる、請求項１０に記載のシステム。
【請求項１２】
前記命令は、前記１つ以上のコンピューティングデバイスに、
前記第１のフィールドコンポーネントと関連した情報を、前記ユーザインターフェースを介して前記ユーザに更に提示させ、前記第１のフィールドコンポーネントと関連した前記情報が、（ｉ）前記第１のフィールドコンポーネントの状態、及び（ｉｉ）前記第１のフィールドコンポーネントにより得られた測定値のうちの１つまたは両方を含む、請求項１０又は１１に記載のシステム。
【請求項１３】
前記第１のインターロックチェーン可視化は、前記第１のフィールドコンポーネントのグラフィック表示と前記インターロックイベントをトリガした別のフィールドコンポーネントのグラフィック表示との間にのみ延びる、請求項１０から１２のいずれか一項に記載のシステム。
【請求項１４】
前記第１のインターロックチェーン可視化は、前記第１のインターロックチェーンのルートフィールドコンポーネントのグラフィック表示と前記第１のフィールドコンポーネントのグラフィック表示との間に少なくとも延びる、請求項１０から１２のいずれか一項に記載のシステム。
【請求項１５】
前記命令は、前記１つ以上のコンピューティングデバイスに、
（ｉ）前記第１のインターロックチェーンと第２のインターロックチェーンとの間で共有されたフィールドコンポーネントのグラフィック表示と、（ｉｉ）前記第１のフィールドコンポーネントの前記グラフィック表示との間に少なくとも延びる第１のインターロックチェーン可視化を自動で生成することと、
（ｉ）前記共有されたフィールドコンポーネントの前記グラフィック表示または前記共有されたフィールドコンポーネントの別のグラフィック表示のいずれかと、（ｉｉ）前記複数のフィールドコンポーネントのうちの第２のフィールドコンポーネントのグラフィック表示との間に少なくとも延びる第２のインターロックチェーン可視化を自動で生成することと、
少なくとも前記第１のインターロックチェーン可視化及び前記第２のインターロックチェーン可視化を、前記ユーザインターフェースを介して前記ユーザに提示させることと、を行わせ、
前記第２のフィールドコンポーネントの前記グラフィック表示は、前記第１のインターロックチェーン可視化に含まれず、前記第１のフィールドコンポーネントの前記グラフィック表示は、前記第２のインターロックチェーン可視化に含まれない、請求項１０から１２のいずれか一項に記載のシステム。
【請求項１６】
前記命令が更に、前記１つ以上のコンピューティングデバイスに、
前記第１のインターロックチェーン可視化と同時に、シングルリセット制御を、前記ユーザインターフェースを介して前記ユーザに提示させることと、
前記シングルリセット制御のユーザ起動を検出することと、
前記シングルリセット制御の前記ユーザ起動を検出することに対応して、前記複数のフィールドコンポーネントのうちの少なくとも前記第１のサブセットのリセットを引き起こすことと、を行わせる、請求項１０から１５のいずれか一項に記載のシステム。
【請求項１７】
命令を記憶する非一過性のコンピュータ可読媒体であって、前記命令が、１つ以上のコンピューティングデバイスにより実行される場合、前記１つ以上のコンピューティングデバイスに、
プロセス制御システム内の複数のフィールドコンポーネントのうちの少なくとも第１のフィールドコンポーネントの停止を引き起こすインターロックイベントを検出することであって、前記複数のフィールドコンポーネントは、１つ以上のプロセス制御モジュールに従い、複数のそれぞれの物理的機能を実装する、インターロックイベントを検出することと、
前記複数のフィールドコンポーネントと関連した事前構成されたインターロックロジックデータであって、前記複数のフィールドコンポーネントの各々にインターロックをトリガする条件である、事前構成されたインターロックロジックデータを得ることと、
前記事前構成されたインターロックロジックデータを分析することにより、少なくとも第１のインターロックチェーン可視化を自動で生成することであって、前記第１のインターロックチェーン可視化は、前記複数のフィールドコンポーネントのうちの少なくとも第１のサブセット中でのインターロック依存を図で示し、前記第１のサブセットは、（ｉ）前記第１のフィールドコンポーネント及び（ｉｉ）前記複数のフィールドコンポーネントのうちの少なくとも１つの他のフィールドコンポーネントを含む、自動で生成することと、
少なくとも前記第１のインターロックチェーン可視化を、ユーザインターフェースを介してユーザに提示させることと、を行わせる、非一過性のコンピュータ可読媒体。
【請求項１８】
前記事前構成されたインターロックロジックデータは、オブジェクト指向プログラミングプロトコルに準拠する複数のインターロック構成オブジェクトを定義するデータを含み、
前記複数のインターロック構成オブジェクトの各々が、前記複数のフィールドコンポーネント中のフィールドコンポーネントのそれぞれの対の間のインターロック関係を表し、
前記命令は、少なくとも部分的に前記複数のインターロック構成オブジェクトに基づいて、前記１つ以上のコンピューティングデバイスに少なくとも前記第１のインターロックチェーン可視化を自動で生成させる、請求項１７に記載の非一過性のコンピュータ可読媒体。
【請求項１９】
前記第１のインターロックチェーン可視化が、前記第１のフィールドコンポーネントのグラフィック表示と前記インターロックイベントをトリガした別のフィールドコンポーネントのグラフィック表示との間にのみ延びる、請求項１７又は１８に記載の非一過性のコンピュータ可読媒体。
【請求項２０】
前記命令が更に、前記１つ以上のコンピューティングデバイスに、
前記第１のインターロックチェーン可視化と同時に、シングルリセット制御を、前記ユーザインターフェースを介して前記ユーザに提示させることと、
前記シングルリセット制御のユーザ起動を検出することと、
前記シングルリセット制御の前記ユーザ起動を検出することに対応して、前記複数のフィールドコンポーネントのうちの少なくとも前記第１のサブセットのリセットを引き起こすことと、を行わせる、請求項１７から１９のいずれか一項に記載の非一過性のコンピュータ可読媒体。